(57)【要約】【課題】作業者がハンドルを握った場合のバランスが良好な照射装置を提供する。【解決手段】電力が供給されて発光する発光ダイオード３６を備えた照射装置１０であって、発光ダイオード３６を支持するハウジング１１と、発光ダイオード３６から第１方向に間隔をおいてハウジング１１に設けられ、かつ、発光ダイオード３６に電力を供給する電池セルを収容した電池パック２６が着脱される着脱壁２２と、第１方向と交差する第２方向にハウジング１１から突出したハンドル１２と、を有する。【選択図】図５
2016103399.tif 000002
【特許請求の範囲】
【請求項１】
電力が供給されて発光する発光体を備えた照射装置であって、
前記発光体を支持するハウジングと、
前記発光体から第１方向に間隔をおいて前記ハウジングに設けられ、かつ、前記発光体に電力を供給する電池セルを収容した電池パックが着脱される着脱部と、
前記第１方向と交差する第２方向に前記ハウジングから突出したハンドルと、
を有する照射装置。
【請求項２】
前記着脱部に前記電池パックが取り付けられている、請求項１に記載の照射装置。
【請求項３】
前記電池パックは、前記ハウジングの外部に露出している、請求項２に記載の照射装置。
【請求項４】
前記着脱部は、前記第１方向で前記発光体から光が照射される向きとは反対側に設けられている、請求項２または３に記載の照射装置。
【請求項５】
前記第１方向で、前記発光体と前記電池パックとの間に重心が位置する、請求項４に記載の照射装置。
【請求項６】
前記第２方向は、前記第１方向を表す第１直線に対して直角な第２直線で表され、
前記重心は、前記第２直線上に位置する、請求項５に記載の照射装置。
【請求項７】
作業者により操作され、かつ、前記電池セルの電力を前記発光体に供給する経路を接続または遮断するトリガが、前記ハンドルに設けられている、請求項６に記載の照射装置。
【請求項８】
前記ハンドルは、前記第１方向に延びている、請求項１〜７のいずれか１項に記載の照射装置。
【請求項９】
前記ハウジングは、前記第１方向に沿って配置した第１壁部を備え、
前記ハンドルは、前記第１壁部に対して傾斜した傾斜部を備えている、請求項４に記載の照射装置。
【請求項１０】
前記発光体を冷却する空気の流れを形成する冷却ファンが、前記ハウジングに設けられている、請求項１〜９のいずれか１項に記載の照射装置。
【請求項１１】
前記冷却ファンは、前記電池セルの電力で回転する、請求項１０に記載の照射装置。
【請求項１２】
前記ハウジングに、
前記冷却ファンの回転により流れる空気を前記ハウジング内に導入する吸気口と、
前記ハウジング内の空気を前記ハウジングの外部に排出する排気口と、
が設けられている、請求項１０または１１に記載の照射装置。
【請求項１３】
前記発光体を冷却するヒートシンクが、前記ハウジングに設けられている、請求項１０〜１２のいずれか１項に記載の照射装置。
【請求項１４】
前記ヒートシンクは、前記ハウジング内を空気が流れる経路に配置されている、請求項１３に記載の照射装置。
【請求項１５】
前記電池パックは、前記電池セルを収容した収容ケースを備え、
前記収容ケースの底部は、前記第１方向に沿って配置され、
前記ハウジングは、前記第１壁部と平行な第２壁部を備え、
前記第２壁部及び前記底部は、同一平面を構成している、請求項９に記載の照射装置。
【請求項１６】
前記電池パックは、前記第２直線に沿った方向で前記ハウジングの中央に配置されている、請求項６に記載の照射装置。
【請求項１７】
前記ハウジングを支持する三脚の取り付け機構が、前記第２直線上に配置されている、請求項６または１６に記載の照射装置。
【請求項１８】
前記ハウジングを物体にぶら下げるフックが、前記ハウジングに設けられている、請求項１〜１７のいずれか１項に記載の照射装置。
【請求項１９】
電力が供給されて前方に発光する発光体を備えた照射装置であって、
前記発光体を支持するハウジングと、
前記発光体から後方に間隔をおいて前記ハウジングに設けられ、かつ、前記発光体に電力を供給する電池セルを収容した電池パックが着脱される着脱部と、
前後方向と交差する上方に向けて前記ハウジングから突出したハンドルと、
を有する照射装置。
【請求項２０】
前記ハウジングの前後方向において、前記発光体と前記着脱部との間に重心が位置する、請求項１９に記載の照射装置。
【請求項２１】
前記ハンドルの下方に前記重心が位置する、請求項１９または請求項２０に記載の照射装置。
【請求項２２】
作業者により操作されて前記発光体を照射可能とするトリガが、前記ハンドルに設けられ、
前記重心は、前記トリガの下方に位置する、請求項２１に記載の照射装置。
【発明の詳細な説明】
【技術分野】
【０００１】
本発明は、作業者が握るハンドルを備えた照射装置に関する。
【背景技術】
【０００２】
作業者が握るハンドルを備えた照射装置が特許文献１に記載されている。特許文献１に記載された照射装置は、光源を内蔵した円錐形状のハウジングと、ハウジングの外面から突出されたハンドルと、ハウジングの開口部に接続治具を介して取り付けた筒形状の遮光フードと、遮光フードに設けた観察窓と、を備えている。ハウジングの後端に、電力ケーブルが接続されている。
【０００３】
特許文献１に記載された照射装置は、遮光フードの開口端を観察対象面に押し付け、観察窓から発光状態を観察する。
【先行技術文献】
【特許文献】
【０００４】
【特許文献１】実開昭５６−９２８４１号公報
【発明の概要】
【発明が解決しようとする課題】
【０００５】
しかし、特許文献１に記載された照射装置は、ハンドルを作業者が握ると、ハウジングを含む要素全体の重量で、ハンドルを中心とするモーメントが働く。したがって、照射装置全体がアンバランスとなり、作業者が照射装置を持ちにくい問題があった。
【０００６】
本発明の目的は、作業者がハンドルを握った場合のバランスが良好な照射装置を提供することにある。
【課題を解決するための手段】
【０００７】
一実施形態の発明は、電力が供給されて発光する発光体を備えた照射装置であって、前記発光体を支持するハウジングと、前記発光体から第１方向に間隔をおいて前記ハウジングに設けられ、かつ、前記発光体に電力を供給する電池セルを収容した電池パックが着脱される着脱部と、前記第１方向と交差する第２方向に前記ハウジングから突出したハンドルと、を有する。
【０００８】
他の実施形態の発明は、電力が供給されて前方に発光する発光体を備えた照射装置であって、前記発光体を支持するハウジングと、前記発光体から後方に間隔をおいて前記ハウジングに設けられ、かつ、前記発光体に電力を供給する電池セルを収容した電池パックが着脱される着脱部と、前後方向と交差する上方に向けて前記ハウジングから突出したハンドルと、を有する。
【発明の効果】
【０００９】
本発明では、作業者が手でハンドルを握った状態で、ハンドルを中心とするモーメントが働くことを抑制し、照射装置のバランスを保持できる。
【図面の簡単な説明】
【００１０】
【図１】本発明の照射装置の実施の形態１を示す斜視図である。
【図２】図１の照射装置の正面図である。
【図３】図１の照射装置の背面図である。
【図４】（Ａ）は、図１の照射装置の平面図、（Ｂ）は、図１の照射装置の左側面図である。
【図５】図４（Ｂ）のＡ−Ａ線における正面断面図である。
【図６】（Ａ）は、図５のＢ−Ｂ線における左側面断面図、（Ｂ）は、図５のＣ−Ｃ線における部分的な平面断面図である。
【図７】照射装置の実施の形態１の変更例を示す正面図である。
【図８】照射装置の実施の形態２を示す左側面図である。
【図９】照射装置の実施の形態２を示す正面図である。
【図１０】照射装置の実施の形態２を示す背面図である。
【図１１】（Ａ）〜（Ｃ）は、照射装置の使用例を示す斜視図である。
【発明を実施するための形態】
【００１１】
以下、本発明の照射装置の実施形態を図面に基づいて詳細に説明する。
【００１２】
（実施の形態１）
図１〜図６に示す照射装置１０は携帯型であり、照射装置１０は、ハウジング１１と、ハウジング１１に設けられたハンドル１２と、を備えている。また、ハウジング１１は、互いに平行に配置された上壁１３及び下壁１４と、互いに平行に配置された２枚の側壁１５，１６と、を有する。２枚の側壁１５，１６は、上壁１３及び下壁１４に対してそれぞれ連続されており、照射装置１０を側面視すると、ハウジング１１の外周面形状は図６のように略四角形である。
【００１３】
また、上壁１３及び下壁１４、さらに２枚の側壁１５，１６に連続する前壁１７が設けられており、前壁１７から突出する支持筒１８が設けられている。前壁１７は開口部１９を備えている。支持筒１８内に第１収容室２０が形成されている。さらに、下壁１４に連続する接続壁２１が設けられ、接続壁２１に連続する着脱壁２２が設けられている。着脱壁２２において接続壁２１とは反対側の端部は、後壁２３を介して上壁１３に連続されている。さらに、ハウジング１１内に、上壁１３と下壁１４とを接続する隔壁６３が設けられている。
【００１４】
ハウジング１１内には、上壁１３と下壁１４と前壁１７と隔壁６３と２枚の側壁１５，１６とにより囲まれた第２収容室２４が形成されている。開口部１９は、第１収容室２０と第２収容室２４とをつないでいる。上壁１３と隔壁６３と着脱壁２２と後壁２３と２枚の側壁１５，１６とにより囲まれた第３収容室２５が形成されている。第２収容室２４と第３収容室２５とはつながっている。
【００１５】
支持筒１８は円筒形状であり、支持筒１８の第１直線Ｄ１に沿った方向で、第２収容室２４は、第１収容室２０と第３収容室２５との間に配置されている。第１直線Ｄ１に沿った方向は、照射装置１０の前後方向と呼ぶこともできる。ハウジング１１に着脱される電池パック２６が設けられている。
【００１６】
電池パック２６は、収容ケース２７と、収容ケース２７内に設けた複数の電池セル２８と、電池セル２８に接続された第１端子２９と、を備えている。収容ケース２７に第１ガイドレールが設けられ、着脱壁２２に第２ガイドレールが設けられている。第１ガイドレール及び第２ガイドレールは、第１直線Ｄ１と平行である。電池パック２６は、第１ガイドレール及び第２ガイドレールに沿って着脱壁２２に対して移動され、電池パック２６は着脱壁２２に着脱される。電池パック２６は、着脱壁２２に取り付けられた状態で、ハウジング１１の外部に露出している。電池パック２６がハウジング１１の外部に露出しているため、電池パック２６をハウジング１１へ着脱し易い。
【００１７】
電池セル２８は、充電と放電とを繰り返し行うことの可能な二次電池である。電池セル２８は、リチウムイオン電池、ニッケルカドミウム電池、ニッケル水素電池等を含む。電池パック２６は直流電源であり、コードレス式である。なお、本実施形態の電池パック２６は、リチウムイオン電池セルを５個直列に接続した電池セル群を１列とし、２列の電池セル群を互いに並列に接続したものである。電池パック２６の電圧は１８Ｖである。
【００１８】
着脱壁２２には第２端子３０が設けられており、電池パック２６が着脱壁２２に取り付けられると、第１端子２９が第２端子３０と接続される。電池パック２６が着脱壁２２に取り付けられた状態で、収容ケース２７の底部３１の外面と、下壁１４の外面とが、同一平面上にある。
【００１９】
第１収容室２０にレンズ３２が設けられ、第２収容室２４にＬＥＤ基板３３が設けられ、第２収容室２４にヒートシンク３４及び冷却ファン３５が設けられ、第３収容室２５に制御基板５７が設けられている。ＬＥＤ基板３３は、第１直線Ｄ１方向で、電池パック２６に対して間隔をおいて配置されている。着脱壁２２の内面から突出するマウント部３７が設けられ、制御基板５７はマウント部３７に固定されている。マウント部３７は、第１直線Ｄ１に対して直角な方向に突出している。第１直線Ｄ１に対して直角な方向は、上下方向と呼ぶこともできる。
【００２０】
ＬＥＤ基板３３及び冷却ファン３５は、第１直線Ｄ１に沿った前後方向で、レンズ３２と制御基板５７との間に配置されている。冷却ファン３５を駆動する電動モータ３８が、第２収容室２４に設けられている。電動モータ３８の回転中心となる軸線は、第１直線Ｄ１と共通である。ＬＥＤ基板３３は、第１直線Ｄ１に沿った前後方向で、レンズ３２と冷却ファン３５との間に配置されている。ＬＥＤ基板３３は、第１直線Ｄ１に対して垂直となる向きで配置され、ＬＥＤ基板３３の２つの表面のうち、レンズ３２に近い方の表面に、複数の発光ダイオード３６が取り付けられている。複数の発光ダイオード３６は、照射装置１０を側面視した図６のように、縦横の複数列に亘って配置されている。
【００２１】
発光ダイオード３６は、電圧が印加されて発光する半導体素子であり、発光ダイオード３６は、赤外線領域、または、可視光線領域、または、紫外線領域のいずれで発光するものでもよいが、本実施形態の発光ダイオード３６は、紫外線領域で発光するものとする。すなわち、本実施形態の照射装置１０は紫外線照射装置である。さらに、ＬＥＤ基板３３を厚さ方向に貫通する通気孔３３ａが設けられている。
【００２２】
ヒートシンク３４は、第１直線Ｄ１に沿った前後方向で冷却ファン３５とＬＥＤ基板３３との間に配置され、ヒートシンク３４は熱伝導性の高い金属材料、例えば、アルミニウム、銅により構成されている。このように、ＬＥＤ基板３３とヒートシンク３４と冷却ファン３５とを一体化したユニットは、第２収容室２４に配置されている。
【００２３】
制御基板５７には、コントローラを含む電気部品、電気回路が設けられている。電気回路と第２端子３０とを接続するリード線３９が設けられ、電気回路とＬＥＤ基板３３とを接続するリード線４０が設けられ、電気回路と冷却ファン３５のモータとを接続するリード線４１が設けられている。
【００２４】
ハンドル１２は、上壁の外面から、第１直線Ｄ１に対して交差する向きで突出したアーチ形状である。すなわち、ハンドル１２は、上下方向で上方に向けて突出されている。また、ハンドル１２は、第１直線Ｄ１に前後沿った方向に延ばされている。ハンドル１２は、第１構成部４２と、第１構成部４２に連続する第２構成部４３と、第２構成部４３に連続する第３構成部４４と、を備えている。第１構成部４２は、第１直線Ｄ１に沿った前後方向で、前壁１７と第３構成部４４との間に配置されている。また、第１構成部４２及び第３構成部４４は上壁１３に接続されている。
【００２５】
第２構成部４３と上壁１３の外面との間における隙間量は、第１直線Ｄ１に沿った方向で異なる。第２構成部４３は、第１直線Ｄ１に沿った方向で第３構成部４４に近づくほど、隙間量が狭くなる向きで、上壁１３の外面に対して傾斜している。
【００２６】
ハンドル１２は管部材で構成され、ハンドル１２の第２構成部４３に回動自在なトリガ４５が設けられ、トリガ４５の操作により接続及び遮断されるスイッチ４６が、第２構成部４３内に設けられている。すなわち、トリガ４５が作業者により操作されることで発光ダイオード３６が照射可能となる。スイッチ４６と制御基板５７とを接続するリード線４７が設けられている。さらに、２枚の側壁１５，１６に固定されたフック４８が設けられている。フック４８は、照射装置１０の平面視でアーチ形状である。さらに、側壁１５の外面に、ベルト用フック４９が設けられている。ベルト用フック４９は、第１直線Ｄ１に沿った方向に延ばされている。
【００２７】
さらに、上壁１３の外面にお知らせランプ５０が設けられている。お知らせランプ５０は、発光ダイオードを用いることができる。お知らせランプ５０として発光ダイオードを用いる場合、可視光線領域で発光する発光ダイオードである。お知らせランプ５０と制御基板５７とを接続するリード線５１が設けられている。
【００２８】
さらにまた、下壁１４から第３収容室２５へ突出された筒部５２が設けられ、筒部５２の内面に雌ねじ５２ａが設けられている。この雌ねじ５２ａは、三脚を固定するための機構である。三脚は、照射装置１０を支持する。さらに、２つの側壁１５，１６を貫通する吸気口５３が設けられており、吸気口５３は、ハウジング１１の外部と第１収容室２０とをつなぐ。吸気口５３は、第１直線Ｄ１に沿った方向で、開口部１９とＬＥＤ基板３３との間に形成されている。
【００２９】
さらに、２つの側壁１５，１６を貫通する排気口５４が設けられており、排気口５４は、ハウジング１１の外部と第１収容室２０とをつなぐ。第１直線Ｄ１に沿った方向で、排気口５４が形成されている範囲は、冷却ファン３５が配置されている範囲と重なる。ＬＥＤ基板３３及びヒートシンク３４は、第１直線Ｄ１に沿った方向で、吸気口５３と排気口５４との間に配置されている。つまり、ＬＥＤ基板３３及びヒートシンク３４は、ハウジング１１内を空気が流れる経路に配置されている。
【００３０】
さらに、側壁１６に液晶表示部５５及び操作スイッチ６４が設けられ、液晶表示部５５及び操作スイッチ６４は、リード線により制御基板５７へ接続されている。作業者は、操作スイッチ６４を操作して、発光ダイオード３６による照射時間を設定可能である。液晶表示部５５は、操作スイッチ６４により設定された照射時間を表示する。
【００３１】
さらに、照射装置１０とは別体で遠隔操作装置５６が設けられており、遠隔操作装置５６は、電波信号または光信号を出力する。遠隔操作装置５６は、発光ダイオード３６を消灯及び点灯する信号、発光ダイオード３６を所定時間に亘り発光させた後、消灯するタイマーを設定する信号等を出力する。遠隔操作装置５６から出力される信号は、ハウジング１１に設けられた受信部により受信される。受信部が受信した信号は、制御基板５７のコントローラに送られてコントローラにより処理される。
【００３２】
電池パック２６がハウジング１１に取り付けられた照射装置１０の重心Ｗ１は、第１直線Ｄ１と、下壁１４との間にある。第２直線Ｅ１に沿った方向で、重心Ｗ１の位置は、電池セル２８が配置されている範囲の外にある。第２直線Ｅ１に沿った方向は、上下方向である。また、重心Ｗ１は、第１直線Ｄ１に沿った方向で、電池パック２６と冷却ファン３５との間にある。また、照射装置１０の正面視で、第１直線Ｄ１と直角であり、かつ、重心Ｗ１を通る第２直線Ｅ１上に、トリガ４５及び雌ねじ５２ａが配置されている。雌ねじ５２ａの第１直線は、第２直線Ｅ１と共通である。つまり、第１直線Ｄ１を水平にして照射装置１０を支持した場合、第２直線Ｅ１は重力の作用方向である鉛直線と平行である。照射装置１０の正面視で、第２直線Ｅ１はハンドル１２の第２構成部４３を通る。
【００３３】
作業者が照射装置１０を手で持っている状態で、トリガ４５を操作して発光ダイオード３６に電圧を印加すると、発光ダイオード３６が発生した紫外線は、レンズ３２を透過して対象物に照射される。ここで、対象物は紫外線硬化樹脂である。紫外線硬化樹脂とは、特定の波長の光によって重合、硬化する樹脂である。紫外線硬化樹脂は、アクリレート系樹脂、エポキシ系樹脂等を含む。
【００３４】
照射装置１０を作業者が持つ場合は、作業者は手でハンドル１２を握る。特に、第２構成部４３を握る。電池パック２６をハウジング１１に取り付けた照射装置１０は、その重心Ｗ１が、ハンドル１２を通る第２直線Ｅ１上にある。第２直線Ｅ１は重力の作用方向である鉛直線と平行である。また、作業者が手でハンドル１２を握った状態で、ハンドル１２の下方にハウジング１１及び電池パック２６が位置する。このため、ハンドル１２を中心とするモーメントが働くことを抑制でき、照射装置のバランスを保持できる。照射装置のバランスとは、照射装置の姿勢という意味を含む。したがって、作業者が照射装置１０を持ち運び易い。
【００３５】
また、トリガ４５が操作されると、電動モータ３８に電力が供給されて冷却ファン３５が回転する。すると、ハウジング１１の外部の空気が、吸気口５３を通りハウジング１１内に導入される。ハウジング１１内に吸い込まれた空気は、通気孔３３ａを通りヒートシンク３４に接触し、次いで、排気口５４を通りハウジング１１の外部に排出される。発光ダイオード３６及びＬＥＤ基板３３の熱は、ハウジング１１内の空気に伝達され、その熱を奪った空気はハウジング１１の外部に排出される。したがって、発光ダイオード３６及びＬＥＤ基板３３を冷却することができる。
【００３６】
また、ＬＥＤ基板３３に通気孔３３ａが設けられているため、ハウジング１１内に吸い込まれた空気が、ＬＥＤ基板３３とレンズ３２との間に滞留することを抑制できる。したがって、冷却ファン３５の冷却効率を高めることができる。
【００３７】
さらに、電池パック２６はハウジング１１の外部に配置されるため、電池パック２６を着脱壁２２に着脱する作業を容易に行うことができる。また、作業者が照射装置１０を手で持った状態から、照射装置１０を下方に下げると、下壁１４の外面及び収容ケース２７の底部３１の外面が、床、テーブル等の置き場所に接触する。したがって、作業者が照射装置１０を持っている状態の姿勢から、照射装置１０の姿勢を変えることなく、置くことができ置きやすい。
【００３８】
さらに、照射装置１０を床等に置き、作業者は照射装置１０から離れた場所から遠隔操作装置５６を操作して、発光ダイオード３６を点灯及び消灯する制御を実行できる。発光ダイオード３６が点灯している場合、お知らせランプ５０が点灯し、発光ダイオード３６が消灯している場合、お知らせランプ５０は消灯する。このため、作業者は発光ダイオード３６が紫外線を照射中であることを確認できる。また、お知らせランプ５０が消灯すれば、紫外線硬化樹脂が硬化したことを間接的に知ることができる。底部３１の外面と及び下壁１４の外面が、床、テーブル等の平らな作業場所に接触した状態で、照射装置１０が置かれると、上下方向を表す第２直線Ｅ１は、略垂直となる。
【００３９】
さらに、三脚の雄ねじを雌ねじ５２ａに挿入して締め付け、三脚に照射装置１０を固定すれば、照射装置１０を三脚で支持することもできる。したがって、照射装置１０で照射作業を実行中に、作業者は他の作業を行うことができる。この際、筒部５２の雌ねじ５２ａは、重心Ｗ１を通る第２直線Ｅ１上に配置される。このため、三脚及び照射装置１０がバランスを保持でき、三脚が倒れ難い。さらに、ベルト用フック４９を作業者のベルトに掛けて、照射装置１０を吊り下げることもできる。さらにまた、フック４８を作業場にある棒やパイプに掛けて、照射装置１０を吊り下げることもできる。
【００４０】
照射装置１０は、直流電源としての電池パック２６を電源としており、交流電源に接続する電力ケーブルが不要である。したがって、場所を選ばずに照射作業を行うことができ、作業性が向上する。
【００４１】
（変更例１）
図６に示すＬＥＤ基板３３に取り付ける複数の発光ダイオード３６は、紫外線領域における発光の波長を全て同一とすることが可能である。これに対して、紫外線領域における発光の波長が異なる複数の発光ダイオード３６を、ＬＥＤ基板３３に取り付けることも可能である。波長の種類は、２種類でもよく、または３種類以上でもよい。そして、ハウジング１１の外面、例えば、側壁１５の外面に切り替えスイッチ５８を設ける。切り替えスイッチ５８の操作信号は、制御基板５７のコントローラへ入力される。切り替えスイッチ５８は、点灯するべき発光ダイオード３６の種類を、作業者が選択する要素である。
【００４２】
作業者が切り替えスイッチ５８を操作すると、目的とする紫外線波長となる発光ダイオード３６を点灯させ、目的から外れた紫外線波長の発光ダイオード３６は消灯することができる。したがって、照射装置１０は、反応する波長が異なる紫外線硬化樹脂を複数種類硬化する作業を行うことができる。
【００４３】
さらに、種類が異なる発光ダイオード３６として、紫外線領域で発光するものに加え、赤外線領域で発光するもの、及び可視光線領域で発光するものを取り付けておいてもよい。そして、作業者が切り替えスイッチ５８を操作すると、点灯するべき領域の発光ダイオード３６を、作業者が選択可能である。
【００４４】
（変更例２）
照射装置１０の変更例２を図７を参照して説明する。図７に示す照射装置１０は、ハンドル１２の形状が、前述のハンドル１２とは異なる。図７に示すハンドル１２は、第２構成部４３と上壁１３の表面との隙間量が、第３構成部４４に近づくほど広くなる向きで、第２構成部４３が傾斜している。
【００４５】
図７の照射装置１０の他の構成は、図１〜図６の照射装置１０の構成と同じである。図７の照射装置１０の効果は、図１〜図６の照射装置１０の効果と同じである。図７に示す照射装置１０は、紫外線を上向きに照射する向きで第１直線Ｄ１を傾けて照射装置１０を作業者が持つ場合に、持ち易い。
【００４６】
（実施の形態２）
照射装置１０の実施の形態２を、図８〜図１０を参照して説明する。図８〜図１０において、図１〜図６と同じ構成部分については、図１〜図６と同じ符号を付してある。ハウジング１１は、後壁２３から前壁１７に向けて第１直線Ｄ１方向に窪んだ凹部５９を備えている。凹部５９に電池パック２６が収容されている。側壁１５から第１直線Ｄ１方向に突出された突出部６０が設けられ、側壁１６から第１直線Ｄ１方向に突出された突出部６１が設けられている。突出部６０と突出部６１とをつなぐ接続壁６２が設けられている。電池パック２６は、第２直線Ｅ１方向でハウジング１１の中央に配置されている。
【００４７】
接続壁６２は第１直線Ｄ１と平行であり、凹部５９は着脱壁２２と接続壁６２との間に形成されている。そして、収容ケース２７の底部の外面は、下壁１４の外面と、重心Ｗ１との間に位置している。つまり、第２直線Ｅ１に沿った方向で、重心Ｗ１は、第１直線Ｄ１と上壁１３との間に位置する。また、突出部６０，６１にフック４８が取り付けられている。フック４８は、突出部６０，６１に対して回動可能である。
【００４８】
さらに液晶表示部５５は突出部６１の外面に設けられている。図８〜図１０の照射装置１０において、図１〜図６の照射装置１０と同じ構成箇所については、図１〜図６の照射装置１０と同じ効果を得ることができる。電池パック２６を着脱壁２２へ着脱する場合、フック４８を回動させて、電池パック２６の移動経路を阻害しない位置に、フック４８を停止する。なお、図８〜図１０のハウジング１１に、図２に示す切り替えスイッチ５８を設けることも可能である。遠隔操作装置５６を用いて、図８〜図１０の照射装置１０を制御することも可能である。
【００４９】
照射装置１０の他の使用例が、図１１に示されている。電池パック２６と同形状のアダプタ６８が、図１１（Ａ）のように、接続コード６５を介して背負い式の電源６６に接続されている。背負い式の電源６６とは、作業者が背中に背負う背負い具６７により支持される直流電源である。背負い式の電源６６は、収容ケース内に複数の電池セルを収容した電池パックである。背負い式の電源６６の電圧は３６Ｖであり、電池パック２６の電圧よりも高い。また、アダプタ６８は、背負い式の電源６６の電力を第２端子３０に供給する端子を有する。アダプタ６８の端子は、第１端子２９と同形状である。つまり、アダプタ６８は着脱壁２２に対して着脱可能である。
【００５０】
また、アダプタ６８内に昇圧・降圧回路が設けられている。昇圧・降圧回路は、背負い式の電源６６の電圧が電池パック２６の電圧よりも大きい場合や小さい場合に、背負い式の電源６６の電圧を、電池パック２６の電圧と同じとなるように調整する。背負い具６７は、背中に接触し、かつ、電源６６を取り付けたパッド、肩に掛けるベルト、腰に巻くベルトを備えている。
【００５１】
照射装置１０により横方向を照射する場合は、図１１（Ｂ）のように、第１直線Ｄ１が略水平となるように、作業者が照射装置１０を持つ。照射装置１０により上方向を照射する場合は、図１１（Ｃ）のように、第１直線Ｄ１が水平線に対して傾くように、作業者が照射装置１０を持つ。
【００５２】
実施の形態で説明した構成と、本発明の構成との対応関係は、以下の通りである。発光ダイオード３６が、本発明の発光体に相当し、ハウジング１１が、本発明のハウジングに相当し、電池セル２８が、本発明の電池セルに相当し、電池パック２６及び背負い式電源６６が、本発明の電池パックに相当し、着脱壁２２が、本発明の着脱部に相当し、ハンドル１２が、本発明のハンドルに相当し、上壁１３が、本発明の第１壁部に相当し、トリガ４５が、本発明のトリガに相当し、第２構成部４３が、本発明の傾斜部に相当し、冷却ファン３５が、本発明の冷却ファンに相当し、吸気口５３が、本発明の吸気口に相当し、排気口５４が、本発明の排気口に相当する。
【００５３】
また、ヒートシンク３４が、本発明のヒートシンクに相当し、収容ケース２７が、本発明の収容ケースに相当し、底部３１が、本発明の底部に相当し、下壁１４が、本発明の第２壁部に相当し、雌ねじ５２ａが、本発明の取り付け機構に相当し、フック４８及びベルト用フック４９が、本発明のフックに相当する。さらに、本発明の第１方向、例えば、前後方向は、第１直線Ｄ１で表されている。また、本発明の第２方向、例えば、上下方向は、第２直線Ｅ１で表されている。さらに、重心Ｗ１が、本発明の重心に相当し、ベルト、パイプ、棒が、本発明の物体に相当する。発光体から光が照射される方向が、本発明における前方である。例えば、図５ではＬＥＤ基板３３よりも左側が前方であり、ＬＥＤ基板３３よりも右側が後方である。本発明において、電池パックを着脱部に着脱する方法は、電池パックを直接、着脱部に着脱する方法と、電池パックをアダプタ及び接続コードを介して着脱部に着脱する方法を含む。
【００５４】
本発明は前記実施の形態に限定されるものではなく、その要旨を逸脱しない範囲で種々変更可能である。例えば、照射装置は、樹脂の硬化に用いるのみならず、殺菌、表面処理に用いてもよい。さらに、発光体は、発光ダイオードに限らず、電球、蛍光灯を含む。
【符号の説明】
【００５５】
１１…ハウジング、１２…ハンドル、１３…上壁、１４…下壁、２２…着脱壁、２６…電池パック、２７…収容ケース、２８…電池セル、３１…底部、３４…ヒートシンク、３５…冷却ファン、３６…発光ダイオード、４３…第２構成部、４５…トリガ、４８…フック、４９…ベルト用フック、５２ａ…雌ねじ、５３…吸気口、５４…排気口、６８…アダプタ、Ｄ１…第１直線、Ｅ１…第２直線、Ｗ１…重心。
【図１】
2016103399.tif 000003
【図２】
2016103399.tif 000004
【図３】
2016103399.tif 000005
【図４】
2016103399.tif 000006
【図５】
2016103399.tif 000007
【図６】
2016103399.tif 000008
【図７】
2016103399.tif 000009
【図８】
2016103399.tif 000010
【図９】
2016103399.tif 000011
【図１０】
2016103399.tif 000012
【図１１】
2016103399.tif 000013